(57)【特許請求の範囲】
【請求項１】
身体障害者用の化粧道具セットであって、
化粧品を付けるために、指が挿入される化粧道具（１１０）と、
前記化粧道具（１１０）が装填されるシート切欠き（１２２）を具備する固定ケース（１２０）と、を備え、
前記化粧道具（１１０）が、
指が挿入される指貫き（１１２）であって指が挿入される方向に延びる弾性支持部（１１８）を具備する該指貫き（１１２）と、
前記指貫き（１１２）から延びる治具棒（１１４）と、
前記治具棒（１１４）の端部に形成された付けチップ（１１６）と、を有する
化粧道具セット。
【請求項２】
前記弾性支持部（１１８）がコイルスプリング状の形状を有する請求項１に記載の化粧道具セット。
【請求項３】
前記固定ケース（１２０）が中空の半球形状を有するとともに、前記化粧道具（１１０）が装填されるように前記固定ケースの表面上に形成されたシート切欠き（１２２）と、前記シート切欠き（１２２）内に前記固定ケース（１２０）の内側に向かって形成された貫通孔（１２４）と、を具備する請求項１に記載の化粧道具セット。
【発明の詳細な説明】
【技術分野】
【０００１】
本発明は、身体障害者用の化粧道具セットに関し、特に、手の不自由な人が化粧に用いる化粧道具を容易に保持することができ、目の化粧、唇の化粧、頬の化粧等、化粧のために顔の皮膚に化粧品をつけることができ、かつ、化粧道具を簡便に固定できる化粧道具セットに関する。
【背景技術】
【０００２】
一般的に、化粧は、人間の顔がより美しく見えるように化粧品を適用する行動であり、例えば頬の化粧、目の化粧、唇の化粧等の幾つかのタイプの化粧がある。化粧においては、色付き化粧品を顔の対応する部分につけるために適切な化粧道具が用いられる。
【０００３】
化粧道具には、頬などの比較的広い領域に柔らかく化粧品を広げて塗るためのブラシ、上目蓋等の部分にパウダーの色付き化粧品入念に塗るために適したスポンジチップ、及び同様のことを行うために液体の色付き化粧品を容易に吸収する構造をもつその他の便利な道具が含まれる。
【０００４】
既存の化粧道具は、ブラシと、所定の長さのブラシ棒に接続され後端部にユーザにより保持されるグリップを備えたスポンジチップ等の付けチップとを含む。この化粧道具は、ポーチ等の化粧ケースに収容される。
【発明の概要】
【発明が解決しようとする課題】
【０００５】
しかしながら、手の不自由な人は、この既存の化粧道具及び化粧ケースを使用することに困難を感じている。例えば、上述の化粧道具は、色付き化粧品をチップ上に付けるために、ユーザが親指と人差し指でグリップを持つことにより保持される。ところが、特に、親指を欠く手の不自由な人は化粧道具を掴めないため、それを使用して化粧することが非常に不便であり困難である。
【０００６】
さらに、化粧道具をポーチ等の固定ケースに入れたり固定ケースから出したりすることは困難であると同時に、固定ケースから化粧道具を取り出し、チップに色付き化粧品を付けられるように化粧道具を安定に保持することに長時間かかるため、ユーザは速やかに化粧することができない。
【０００７】
本発明は、上述した問題を解決するためになされたもので、指が挿入され、手の不自由な人が簡便にかつ速やかに把持することができ、かつ簡便に収容固定できる構造を有する化粧道具セットを提供するものである。
【課題を解決するための手段】
【０００８】
本発明の上述した態様及び／又は他の態様を実現するために、身体障害者のための化粧道具セットが提供され、それは、化粧品を付けるために指が挿入される化粧道具（１１０）と、化粧道具（１１０）が装填されるシート切欠き（１２２）を具備する固定ケース（１２０）と、を備えている。
【０００９】
ここで、化粧道具（１１０）は、指が挿入される指貫き（１１２）と、指貫き（１１２）から延びる治具棒（１１４）と、治具棒（１１４）の端部に形成された付けチップ（１１６）と、を含んでもよい。
【００１０】
さらに、指貫き（１１２）は、弾性材料から作製できる。
【００１１】
加えて、指貫き（１１２）は、指が挿入される方向に延びる弾性支持部（１１８）を具備してもよい。
【００１２】
弾性支持部（１１８）は、コイルスプリング状の形状を有してもよい。
【００１３】
さらに、固定ケース（１２０）は、中空の半球形状を有してもよく、そしてその表面上に形成された、化粧道具（１１０）が装填されるシート切欠き（１２２）と、固定ケース（１２０）の内側に向かってシート切欠き（１２２）に形成された貫通孔（１２４）を具備してもよい。
【発明の効果】
【００１４】
本発明の身体障害者用化粧道具セットによれば、ユーザ特に、色付き化粧品を対応する皮膚に付ける化粧道具１１０を掴めない手の不自由な人が、指を指貫き１１２に挿入することができるので、手の不自由な人が化粧道具１１０を包帯固定することなく簡便に化粧することができるとともに、シート切欠き１２２に指貫き１１２を装填することにより、その化粧道具１１０を簡便に収容することができる。
【００１５】
本発明の目的、特徴及び利点は、添付の図面を参照した以下の詳細な説明からさらに明らかとされるであろう。
【図面の簡単な説明】
【００１６】
【図１】図１は、本発明の一実施例による身体障害者用化粧道具セットを示した断面図である。
【図２】図２は、本発明の一実施例による身体障害者用化粧道具セットの、指が挿入される化粧道具の使用状況を示した図である。
【発明を実施するための形態】
【００１７】
特定の用語は、最良の形態にて本発明を説明するために定義してもよい。従って、本明細書及び請求の範囲で用いた特定の用語及び文言の意味は、文字通り又は通常用いられる意味に限定すべきではなく、本発明の主旨に沿って解釈されるべきである。
【００１８】
以下、本発明の実施例を、当業者が本発明を容易に実施可能であるように添付の図面を参照して詳細に説明する。
【００１９】
図１は、本発明の一実施例による障害者用化粧道具セットを示した断面図である。そして図２は、本発明の一実施例による身体障害者用化粧道具セットの、指が挿入される化粧道具の使用状況を示した図である。
【００２０】
図面を参照すると、本発明の実施例による障害者用化粧道具セットは、化粧品をユーザの皮膚に塗抹し付けるために用いられるものであってそれにより指の不自由な人、特に親指のない人が親指以外の彼又は彼女の指をその中に挿入する化粧道具１１０と、障害者が容易に化粧道具１１０を指から取り外しかつ化粧道具１１０に指を挿入することを補助するためのシート切欠き１２２を形成された固定ケース１２０と、を備えている。
【００２１】
特に、障害者が化粧品を皮膚に容易に塗抹し付けられるようにする化粧道具１１０は、指が挿入される指貫き１１２と、指貫き１１２から延びる治具棒１１４と、治具棒１１４の端部に形成された付けチップと、を有する。
【００２２】
指貫き１１２は弾性材料からなりかつ、指が挿入される孔を有する。指の直径は、治具棒１１４に連結された指貫き１１２の内側よりも大きい。好適には、指貫き１１２がスポンジ、シリコーン等の弾性柔軟材料からなることにより、ユーザは、彼又は彼女の指を指貫き１１２に挿入するときに違和感を感じないようになる。
【００２３】
好適には、指貫き１１２が、開口した後端と、爪をもつ指の曲がった端部に適合する流線型の内面部分と、を具備する。指貫き１１２は、必要であれば、通気のための複数の通気孔（図示せず）を具備する。
【００２４】
指貫き１１２の先端には、所定の長さの治具棒１１４が設けられ、治具棒１１４の端部に付けチップ１１６が形成される。付けチップ１１６に対して化粧品が付けられる。付けチップ１１６としては、図示の通り、パウダー状の色付き化粧品を付けるためのブラシ１１６ａ、微粉の色付き化粧品を皮膚に付けるために適したスポンジチップ１１６ｂ、及び、液状の色付き化粧品を唇等の皮膚に付けるとともにその液状の色付き化粧品を塗り広げるために適した付けチップ１１６ｃを含んでもよい。
【００２５】
さらに、より念入りな色付け化粧において、指貫き１１２をよりしっかりと支持するように、そして指が挿入された指貫き１１２が動かないように、指貫き１１２は弾性支持部１１８を具備する。
【００２６】
特に、弾性支持部１１８は、指が挿入される指貫き１１２の孔に形成されるので、弾性支持部１１８は指を螺旋状に取り巻くコイルスプリング状の形状をもつことが好ましい。
【００２７】
このように、弾性支持部１１８は、指が挿入される指貫き１１２の孔に形成されるので、指が指貫き１１２に挿入されたとき弾性支持部１１８は指を取り巻きかつ支持する。これにより、指貫き１１２は、指に対してより安定に支持されることが可能である。ユーザが彼又は彼女の指を曲げたとき、弾性支持部１１８は、曲がった指の角度と同じように動くのでユーザは不快感を感じない。
【００２８】
一方、ユーザが化粧道具１１０を収容するための固定ケース１２０が設けられる。固定ケース１２０は、中空の半球形状であり、化粧道具１１０が載置されるシート切欠き１２２と、シート切欠き１２２内に固定ケース１２０の内側に向かって形成された貫通孔１２４と、を具備する。
【００２９】
固定ケース１２０の表面上のシート切欠き１２２は、化粧道具１１０の指貫き１１２に嵌合するような固定ケース１２０の表面上の凹部となっている。そして貫通孔１２４は、指貫き１１２から延びる治具棒１１４及び付けチップ１１６がシート切欠き１２２を貫通して固定ケース１２０に挿入されるように、シート切欠き１２２に形成されている。
【００３０】
化粧道具１１０を使用した後、化粧道具１１０における付けチップ１１６を具備する治具棒１１４が、固定ケース１２０に入れられ、指貫き１２２がシート切欠き１２２に載置されるように、固定ケース１２０に挿入される。
【００３１】
ユーザが固定ケース１２０に装填された化粧道具１１０を使用するとき、ユーザは指貫き１１２に指を挿入し、化粧道具１１０を装着した指をシート切欠き１２２から離し、付けチップ１１６に色付き化粧品を付ける。
【００３２】
本発明の身体障害者用化粧道具セットによれば、ユーザ、特に、色付き化粧品を対応する皮膚に付ける化粧道具１１０を掴めない手の不自由な人が、指を指貫き１１２に挿入できるので、手の不自由な人が、化粧道具１１０を包帯固定することなく簡便に化粧することができ、かつ、指貫き１１２をシート切欠き１２２に装着することにより簡便に化粧道具１１０を収容することができる。
【００３３】
本発明は、その好適例を参照して示されかつ説明されたが、これらの実施例は、この開示が十分かつ完全なものとなるように、そして本発明の概念を当業者に完全に伝えるように提供されたものである。当業者であれば、添付の請求の範囲により規定される本発明の主旨及び範囲から逸脱することなく形態及び詳細において多様な変更が可能であることは自明であろう。
【符号の説明】
【００３４】
１１０  化粧道具
１１２  指貫き
１１４  治具棒
１１６  付けチップ
１１８  弾性支持部
１２０  固定ケース
１２２  シート切欠き
１２４  貫通孔
【図１】
0005531104.tif 000002
【図２】
0005531104.tif 000003